(57)【要約】【課題】電線に巻付けられた電線保護シートの対向し合う端部同士を容易に合体でき、かつ、電線を覆う電線保護シートの周方向長さを容易に調整できるようにすることを目的とする。【解決手段】保護部材付電線１０は、少なくとも１本の電線を保護する保護部材２０を備える。保護部材２０は電線保護シート３０により形成される。電線保護シート３０の第１端部３３に第１縦スリット３４が複数形成されると共に、複数の第１縦スリット３４のそれぞれに交差する第１横スリット３５が第１端部３３の延在方向に沿って少なくとも１列形成されている。電線保護シート３０の第２端部４３に第２縦スリット４４が複数形成されると共に、複数の第２縦スリット４４のそれぞれに交差する第２横スリット４５が第２端部４３の延在方向に沿って複数列形成されている。【選択図】図１
2016158456.tif 000002
【特許請求の範囲】
【請求項１】
少なくとも１本の電線と、
外周に対向し合う第１端部と第２端部とが形成された電線保護シートにより形成され、前記電線保護シートが前記少なくとも１本の電線に１周巻付けられた状態で前記少なくとも１本の電線を保護する保護部材と、
を備え、
前記電線保護シートのうち前記第１端部に、前記第１端部から内側に向う第１縦スリットが複数形成されると共に、前記複数の第１縦スリットのそれぞれに交差する第１横スリットが前記第１端部の延在方向に沿って少なくとも１列形成され、前記電線保護シートのうち前記第２端部に、前記第２端部から内側に向う第２縦スリットが複数形成されると共に、前記複数の第２縦スリットのそれぞれに交差する第２横スリットが前記第２端部の延在方向に沿って複数列形成され、前記電線保護シートが前記少なくとも１本の電線に１周巻付けられた状態で、前記第１端部のうち前記複数の第１縦スリットによって分断された各部分と、前記第２端部のうち前記複数の第２縦スリットによって分断された各部分とが交互に組合わされると共に、前記第１端部のうち前記第１横スリットよりも先端側の部分が、前記第２端部のうち前記複数列の前記第２横スリットよりも先端側の各部分に選択的に係止している、保護部材付電線。
【請求項２】
請求項１に記載の保護部材付電線であって、
前記第１横スリット及び前記第２横スリットのうちの少なくとも一方は、線状に形成された切れ目である、保護部材付電線。
【請求項３】
請求項１又は請求項２に記載の保護部材付電線であって、
前記第１縦スリット及び前記第２縦スリットのうちの少なくとも一方は、線状に形成された切れ目である、保護部材付電線。
【請求項４】
請求項１〜請求項３のいずれか１項に記載の保護部材付電線であって、
前記第１横スリットの端部及び前記第２横スリットの端部の少なくとも１つの箇所に、それらの外側に向けて弧状を描く孔が形成されている、保護部材付電線。
【請求項５】
少なくとも１本の電線に巻かれて電線を保護する電線保護シートであって、
外周に対向し合う第１端部と第２端部とが形成され、前記第１端部に、前記第１端部から内側に向う第１縦スリットが複数形成されると共に、前記複数の第１縦スリットのそれぞれに交差する第１横スリットが前記第１端部の延在方向に沿って少なくとも１列形成され、前記第２端部に、前記第２端部から内側に向う第２縦スリットが複数形成されると共に、前記複数の第２縦スリットのそれぞれに交差する第２横スリットが前記第２端部の延在方向に沿って複数列形成されている、電線保護シート。
【発明の詳細な説明】
【技術分野】
【０００１】
この発明は、電線に電線保護シートを巻付けて電線を保護する技術に関する。
【背景技術】
【０００２】
特許文献１は、電線保護シート材の第一の縁部を電線の保護領域に留めた状態で、電線保護シート材を電線の保護領域に巻き付けると共に、電線保護シート材における第二の縁部とこれが重なる部分とを接着する、電線に対する電線保護シート材の巻き付け方法を開示している。電線保護シートにおける第二の縁部とこれが重なる部分とは、両面粘着テープによって接着される。
【０００３】
特許文献２は、コルゲートチューブ本体部のうちスリットを挟む両側縁部の一方側に間隔をあけて複数の第１延出片を設け、前記両側縁部の他方側に間隔をあけて複数の第２延出片を設けたコルゲートチューブを開示している。このコルゲートチューブでは、複数の第１延出片と複数の第２延出片とが係止し合うことで、スリットが閉じられる。
【先行技術文献】
【特許文献】
【０００４】
【特許文献１】特開２０１４−１７９８５号公報
【特許文献２】特開２０１４−７５９３６号公報
【発明の概要】
【発明が解決しようとする課題】
【０００５】
しかしながら、特許文献１に開示の技術によると、予め両面接着テープが貼付けられた第２の縁部と、電線保護シートのうち第２の縁部が重なる部分とをなるべく正確に位置合せしつつ、両面接着テープを用いた接着作業を行う必要があり、その作業が困難となっていた。
【０００６】
ここで、電線保護シートの対向し合う縁部のそれぞれに、特許文献２に開示されたような、複数の第１延出片及び複数の第２延出片を設ければ、電線保護シートの対向し合う縁部を容易に合体させた状態に維持することができる。
【０００７】
しかしながら、この場合、保護対象となる電線の本数が変った場合等において、複数の電線を覆う電線保護シートの周方向長さを調整することができないという問題がある。
【０００８】
そこで、本発明は、電線に巻付けられた電線保護シートの対向し合う端部同士を容易に合体でき、かつ、電線を覆う電線保護シートの周方向長さを容易に調整できるようにすることを目的とする。
【課題を解決するための手段】
【０００９】
上記課題を解決するため、第１の態様に係る保護部材付電線は、少なくとも１本の電線と、外周に対向し合う第１端部と第２端部とが形成された電線保護シートにより形成され、前記電線保護シートが前記少なくとも１本の電線に１周巻付けられた状態で前記少なくとも１本の電線を保護する保護部材とを備え、前記電線保護シートのうち前記第１端部に、前記第１端部から内側に向う第１縦スリットが複数形成されると共に、前記複数の第１縦スリットのそれぞれに交差する第１横スリットが前記第１端部の延在方向に沿って少なくとも１列形成され、前記電線保護シートのうち前記第２端部に、前記第２端部から内側に向う第２縦スリットが複数形成されると共に、前記複数の第２縦スリットのそれぞれに交差する第２横スリットが前記第２端部の延在方向に沿って複数列形成され、前記電線保護シートが前記少なくとも１本の電線に１周巻付けられた状態で、前記第１端部のうち前記複数の第１縦スリットによって分断された各部分と、前記第２端部のうち前記複数の第２縦スリットによって分断された各部分とが交互に組合わされると共に、前記第１端部のうち前記第１横スリットよりも先端側の部分が、前記第２端部のうち前記複数列の前記第２横スリットよりも先端側の各部分に選択的に係止しているものである。
【００１０】
第２の態様は、第１の態様に係る保護部材付電線であって、前記第１横スリット及び前記第２横スリットのうちの少なくとも一方は、線状に形成された切れ目とされている。
【００１１】
第３の態様は、第１又は第２の態様に係る保護部材付電線であって、前記第１縦スリット及び前記第２縦スリットのうちの少なくとも一方は、線状に形成された切れ目とされている。
【００１２】
第４の態様は、第１〜第３のいずれか１つの態様に係る保護部材付電線であって、前記第１横スリットの端部及び前記第２横スリットの端部の少なくとも１つの箇所に、それらの外側に向けて弧状を描く孔が形成されているものである。
【００１３】
第５の態様は、少なくとも１本の電線に巻かれて電線を保護する電線保護シートであって、外周に対向し合う第１端部と第２端部とが形成され、前記第１端部に、前記第１端部から内側に向う第１縦スリットが複数形成されると共に、前記複数の第１縦スリットのそれぞれに交差する第１横スリットが前記第１端部の延在方向に沿って少なくとも１列形成され、前記第２端部に、前記第２端部から内側に向う第２縦スリットが複数形成されると共に、前記複数の第２縦スリットのそれぞれに交差する第２横スリットが前記第２端部の延在方向に沿って複数列形成されているものである。
【発明の効果】
【００１４】
第１〜第４の態様によると、電線保護シートを少なくとも１本の電線に１周巻付けた状態で、第１端部のうち複数の第１縦スリットによって分断された各部分と、第２端部のうち複数の第２縦スリットによって分断された各部分とを交互に組合わせると共に、第１端部のうち前記第１横スリットよりも先端側の部分を、第２端部のうち複数列の第２横スリットよりも先端側の各部分に選択的に係止させることにより、電線に巻付けられた電線保護シートの対向し合う端部同士を容易に合体できると共に、電線を覆う電線保護シートの周方向長さを容易に調整できるようにすることを目的とする。
【００１５】
第２の態様によると、第１横スリット及び第２横スリットのうちの少なくとも一方は、線状に形成された切れ目であるため、第１端部のうち第１横スリットよりも先端側の部分が、第２端部のうち複数列の前記第２横スリットよりも先端側の各部分に選択的に係止した状態が解除され難い。
【００１６】
第３の態様によると、第１縦スリット及び第２縦スリットのうちの少なくとも一方は、線状に形成された切れ目であるため、第１端部のうち複数の第１縦スリットによって分断された各部分と、第２端部のうち複数の第２縦スリットによって分断された各部分とが交互に組合わされた状態がより確実に維持される。
【００１７】
第４の態様によると、前記第１横スリットの端部及び前記第２横スリットの端部の少なくとも１つの箇所に、それらの外側に向けて弧状を描く孔が形成されているため、第１横スリット及び第２横スリットの端部が裂け難くなる。
【図面の簡単な説明】
【００１８】
【図１】実施形態に係る保護部材付電線を示す概略斜視図である。
【図２】電線保護シートを示す平面図ある。
【図３】電線保護シートの端部同士を合体させた状態を示す説明図である。
【図４】電線保護シートの端部同士を合体させた状態を示す説明図である。
【図５】第１変形例に係る電線保護シートを示す部分平面図である。
【図６】第２変形例に係る電線保護シートを示す部分平面図である。
【図７】第３変形例に係る電線保護シートを示す部分平面図である。
【図８】第４変形例に係る電線保護シートを示す部分平面図である。
【発明を実施するための形態】
【００１９】
以下、実施形態に係る保護部材付電線及び電線保護シートについて説明する。図１は保護部材付電線１０を示す概略斜視図であり、図２は電線保護シート３０を示す平面図であり、図３及び図４は電線保護シート３０の端部同士を合体させた状態を示す説明図である。
【００２０】
保護部材付電線１０は、少なくとも１本の電線１２と、保護部材２０とを備える。
【００２１】
保護部材付電線１０には、少なくとも１本の電線１２が含まれていればよい。従って、保護部材付電線１０は、１本の電線１２を含む場合と、複数本の電線１２を含む場合とがあり得る。ここでは、後者の例、即ち、電線１２の束を含む例で説明する。図１及び図２では、複数の電線１２の束の概形が示されている。
【００２２】
電線１２は、芯線の外周に樹脂が押出被覆等されることで被覆部が形成された構成とされている。複数の電線１２は、本保護部材２０の内又は外等で複数に分岐していてもよい。複数の電線１２を、本保護部材２０内で分岐させて外に引きだすためには、保護部材２０にスリット又は孔を形成しておくとよい。ここでは、複数の電線１２は、本保護部材２０が取付られる箇所では１つに束ねられている。なお、電線１２に沿って光ファイバ等が配設されていてもよい。電線１２は、車両等の配設対象箇所に配設された状態で、車両等に搭載された各種電気機器同士を電気的に接続するものとして用いられる。
【００２３】
保護部材２０は、電線１２の束の延在方向中間部を覆って当該電線１２を保護するものである。
【００２４】
保護部材２０は、電線保護シート３０によって形成されている。
【００２５】
電線保護シート３０は、ＰＶＣ（polyvinyl chloride）、ＰＰ（polypropylene）、不織布等のシート材によって形成されている。かかるシート材としては、好ましくは、折目を作らないで曲げることで、電線１２又は電線１２の束を包込むように巻付け可能な程度に柔軟なものを用いることが好ましい。
【００２６】
電線保護シート３０は、外周に対向し合う第１辺３２と第２辺４２とが形成された形状とされている。ここでは、電線保護シート３０は、長方形状に形成されており、その１組の対辺における一方の辺が第１辺３２とされ、これに対向する他方の辺が第２辺４２とされている。
【００２７】
この電線保護シート３０は、少なくとも１本の電線１２（ここでは電線１２の束）に１周巻付けられる。これにより、電線１２を保護する保護部材２０が構成される。
【００２８】
シートが電線を覆った状態で維持するための構成としては、両面粘着テープを用いた構成が考えられる。しかしながら、両面粘着テープを用いる場合には、シートの一端部に両面粘着テープを貼付けておく必要があるし、また、この両面粘着テープをシートの他端部に貼付ける際に、両面粘着テープの剥離紙を剥離する必要がある。また、この剥離紙がゴミとなってしまう。さらに、ゴミが粘着面に貼付いてしまう恐れもある。
【００２９】
しかも、シートの一端部の両面粘着テープを、シートの他端部の両面粘着テープに貼付ける際には、当該両面粘着テープをシートの他端部に対して正確に位置合せする必要がある。この位置合わせを正確に行えない場合、例えば、シートの一端部と他端部とが傾いてしまったような場合には、一旦両面粘着テープをシートの他端部から剥がして、貼直す作業が必要となる。この場合、両面粘着テープをシートの他端部から剥がす作業が難作業となる。また、両面粘着テープを貼直すと粘着力が低下してしまうという問題もある。
【００３０】
また、電線保護シート３０を少なくとも１本の電線１２に巻付ける際において、当該少なくとも１本の電線１２の外周を覆う周方向長さＬは、電線１２の本数、電線１２の外径等によって変る。保護対象となる少なくとも１本の電線１２の外周長と、電線保護シート３０の周方向長さＬとが大きく異なると、電線１２の延在方向に対して電線保護シート３０が動き易くなるし、また、外観上も好ましくない。このため、保護対象となる少なくとも１本の電線１２の外周長に合わせて、電線保護シート３０の周方向長さＬを調整できるようにすることが好ましい。
【００３１】
ここでは、両面粘着テープを用いなくても電線１２に巻付けられた電線保護シート３０の対向し合う第１端部３３、第２端部４３同士を容易に合体でき、かつ、電線１２を覆う電線保護シート３０の周方向長さＬを容易に調整できるようにするため、次の構成が採用されている。
【００３２】
すなわち、電線保護シート３０のうち第１辺３２側の第１端部３３に、第１端部３３から内側に向う第１縦スリット３４が複数形成されている。ここでは、第１縦スリット３４は、第１端部３３（より具体的には第１辺３２）に対して直交している。また、複数の第１縦スリット３４は、第１辺３２の延在方向において均等間隔で形成されている。
【００３３】
複数の第１縦スリット３４のそれぞれにおいて、当該第１縦スリット３４に交差する第１横スリット３５が形成されている。ここでは、第１縦スリット３４の先端部に１つの第１横スリット３５が形成されている。複数の第１縦スリット３４のそれぞれに形成された第１横スリット３５が、第１端部３３（より具体的には第１辺３２）の延在方向に沿って一列に延在するように形成されている。第１横スリット３５の長さ寸法は、第１縦スリット３４間の部分を分断しない程度の長さ寸法であり、ここでは、第１横スリット３５の長さ寸法は、第１縦スリット３４間の幅寸法と同じ程度に設定されている。このため、第１横スリット３５の端部は、電線保護シート３０のうち隣合う第１縦スリット３４の中央位置に達する。
【００３４】
また、ここでは、第１縦スリット３４及び第１横スリット３５の少なくとも一方（ここでは両方）は、線状に形成された切れ目状に形成されている。
【００３５】
なお、第１縦スリット３４の数は任意であり、複数の第１縦スリット３４がより狭い間隔で多数形成されていてもよい。また、第１横スリット３５は、後述する第２横スリット４５のように複数列形成されてもよい。
【００３６】
また、電線保護シート３０のうち第２辺４２側の第２端部４３に、第２端部４３から内側に向う第２縦スリット４４が複数形成されている。ここでは、第２縦スリット４４は、第２端部４３（より具体的には第２辺４２）に対して直交している。また、各第２縦スリット４４は、第１辺３２及び第２辺４２の延在方向において、各第１縦スリット３４間の位置（ここでは中央位置）に形成されている。さらに、複数の第２縦スリット４４は、第２辺４２の延在方向において均等間隔で形成されている。
【００３７】
複数の第２縦スリット４４のそれぞれにおいて、当該第２縦スリット４４に交差する第２横スリット４５が複数形成されている。ここでは、第２縦スリット４４の先端部に１つの第２横スリット４５が形成されている。また、第２縦スリット４４の延在方向中間部に少なくとも１つ（ここでは３つ）の第２横スリット４５が形成されている。それぞれの第２縦スリット４４において、複数の第２横スリット４５は間隔をあけて形成されている。これらの第２横スリット４５間の間隔は均等であっても均等でなくてもよい。そして、複数の第２縦スリット４４のそれぞれに形成された複数列の第２横スリット４５は、第２端部４３（より具体的には第２辺４２）の延在方向に沿って複数列で延在するように形成されている。第２横スリット４５の長さ寸法は、第２縦スリット４４間の部分を分断しない程度の長さ寸法であり、ここでは、第２横スリット４５の長さ寸法は、第２縦スリット４４間の幅寸法と同じ程度に設定されている。このため、第２横スリット４５の端部は、電線保護シート３０のうち隣合う第２縦スリット４４の中央位置に達する。
【００３８】
なお、ここでは、第２縦スリット４４及び第２横スリット４５の少なくとも一方（ここでは両方）は、線状に形成された切れ目状に形成されている。
【００３９】
また、電線保護シート３０の周辺のうち第２縦スリット４４の外側に位置する辺部分に、複数の第２横スリット４５の同列に位置する補助横スリット４９が複数形成されている。
【００４０】
上記電線保護シート３０の第１端部３３と第２端部４３とは次のように組合わされて合体される。
【００４１】
すなわち、電線保護シート３０のうち第１端部３３と第２端部４３との間の部分が、電線１２に対して１周巻付けられる。そして、第１端部３３のうち第１縦スリット３４によって分断された各部分と、第２端部４３のうち第２縦スリット４４によって分断された各部分とが、第１端部３３及び第２端部４３の延在方向に沿って交互に組合わされる。
【００４２】
この際、第１端部３３のうち第１横スリット３５よりも先端側（第１辺３２側）の部分が、第２端部４３のうち複数列の第２横スリット４５よりも先端側（第２辺４２側）の各部分に選択的に係止するようにする。
【００４３】
ここでは、第１端部３３のうち列方向において隣合う第１横スリット３５の間の部分の幅寸法Ｗ１は、第１横スリット３５の間隔寸法の半分と同じである。また、第２端部４３のうち各列において隣合う第２横スリット４５間の部分の幅寸法Ｗ２は、第２横スリット４５の間隔寸法の半分と同じである。第１横スリット３５の間隔寸法と、第２横スリット４５の間隔寸法とは同じであるため、第１端部３３のうち列方向において隣合う第１横スリット３５の間の部分の幅寸法Ｗ１は、第２端部４３のうち各列において隣合う第２横スリット４５間の部分の幅寸法Ｗ２と同じであり、しかも、第１横スリット３５の長さ寸法及び第２横スリット４５の長さ寸法と同じである。
【００４４】
このため、第１端部３３のうち列方向において隣合う第１横スリット３５の間の部分を、第２端部４３のうち複数列の任意の列において、第２横スリット４５内に配設することができる。同時に、第２端部４３のうち複数列の任意の列において、第２端部４３のうち当該列において隣合う第２横スリット４５間の部分を、第１端部３３の第１縦スリット３４内に配設することができる。
【００４５】
上記のように組合わせることによって、第１端部３３と第２端部４３とが合体状態に組合わされる。
【００４６】
このように組合わせる際において、第２端部４３における複数列の第２横スリット４５のいずれに、第１端部３３を組合わせるかを選択することができる。これを図３及び図４を参照して説明する。なお、説明の便宜上、図３及び図４において、第２端部４３のうち第１端部３３の外側に重なる部分に斜線を付している。
【００４７】
すなわち、図３に示すように、第２辺４２に近い側の列の第２横スリット４５を選択し、この第２横スリット４５に対して、第１端部３３のうち列方向において隣合う第１横スリット３５の間の部分を配設するようにすると、電線保護シート３０のうち電線１２を覆う周方向長さＬは比較的長くなる。このため、比較的太い電線１２の束を保護するのに適する。
【００４８】
一方、図４に示すように、第２辺４２に遠い側の列の第２横スリット４５を選択し、この第２横スリット４５に対して、第１端部３３のうち列方向において隣合う第１横スリット３５の間の部分を配設するようにすると、電線保護シート３０のうち電線１２を覆う周方向長さＬは比較的短くなる。このため、比較的細い電線１２の束を保護するのに適する。
【００４９】
上記電線保護シート３０のうち電線１２を覆う周方向長さＬは、第２横スリット４５の間隔、数等に応じて、当該電線保護シート３０を電線１２に巻付ける際に任意に調整することができる。
【００５０】
なお、電線保護シート３０のうち外部に延出する第１端部３３及び第２端部４３は、そのまま放置されてもよいし、巻付けられた粘着テープ又は両面粘着テープ等によって、巻付け済の部分に重ね合された状態で維持されてもよい。後者の場合であっても、第１端部３３と第２端部４３とは、粘着テープ又は粘着テープ等によって、巻付け済の部分に重ね合された状態で維持されてもよい。後者の場合であっても、上記係止構造によって、第１端部３３と第２端部４３とが合体状態に維持されているため、粘着テープ又は両面粘着テープ等の貼付け作業は容易に行われる。
【００５１】
以上のように構成された保護部材付電線１０及び電線保護シート３０によると、電線保護シート３０を少なくとも１本の電線１２に１周巻付けた状態で、第１端部３３のうち第１縦スリット３４によって分断された各部分と、第２端部４３のうち第２縦スリット４４によって分断された各部分とが交互に組合わされている。そして、第１端部３３のうち第１横スリット３５よりも先端側の部分が、第２端部４３のうち複数列の第２横スリット４５よりも先端側の各部分に選択的に係止している。これにより、電線１２に巻付けられた電線保護シート３０の対向し合う第１端部３３及び第２端部４３同士を容易に合体状態に保つことができる。また、第２端部４３における複数列のうちの１つを選択して、上記係合状態を構成することによって、電線１２を覆う電線保護シート３０の周方向長さＬを容易に調整できる。
【００５２】
また、上記構成により、両面粘着テープを用いる必要がなくなり、保護部材２０を安価にすることもできる。もっとも、上記したように、第１端部３３、第２端部４３が他の部分に両面粘着テープ、粘着テープ等によって重ね合された状態で保持されていてもよい。この場合であっても、第１端部３３及び第２端部４３は、合体状態に維持されているため、両面粘着テープ、粘着テープの貼り合せ失敗等は抑制される。
【００５３】
また、第１横スリット３５及び第２横スリット４５は、線状に形成された切れ目とされている。このため、第１端部３３における第１縦スリット３４間の部分が第２横スリット４５の間から抜け難くなり、また、第２端部４３における第２縦スリット４４間の部分が第１横スリット３５間から抜け難くなる。このため、係止状態が解除され難く、第１端部３３と第２端部４３との合体状態がより確実に維持される。
【００５４】
また、第１縦スリット３４及び第２縦スリット４４は、線状に形成された切れ目とされている。このため、第１端部３３のうち複数の第１縦スリット３４によって分断された部分が、第２縦スリット４４を通って外部に抜け難く、また、第２端部４３のうち複数の第２縦スリット４４によって分断された部分が、第１縦スリット３４を通って外部に抜け難い。このため、第１端部３３のうち複数の第１縦スリット３４によって分断された各部分と、第２端部４３のうち複数の第２縦スリット４４によって分断された各部分とが交互に組合わされた状態がより確実に維持され、第１端部３３と第２端部４３との合体状態がより確実に維持される。
【００５５】
上記実施形態を前提として各種変形例について説明する。
【００５６】
図５に示す第１変形例に係る電線保護シート１３０では、第１横スリット３５の両端部及び第２横スリット４５の両端部に、それらの外側に向けて外側に凸となる弧状を描く孔３５ｈ、４５ｈが形成されている。ここでは、孔３５ｈ、４５ｈは、円形状に形成されている。孔は、その他、楕円状等であってもよい。
【００５７】
第１横スリット３５又は第２横スリット４５に対して直交する方向において、孔３５ｈ、４５ｈの径は、第１横スリット３５又は第２横スリット４５の幅に対して大きく設定されており、従って、第１横スリット３５及び第２横スリット４５は、その両端部で孔３５ｈ、４５ｈで広がる部分として観察される。
【００５８】
このように、第１横スリット３５の両端部及び第２横スリット４５の両端部に、それらの外側に向けて外側に凸となる弧状を描く孔３５ｈ、４５ｈが形成されていると、第１横スリット３５及び第２横スリット４５を広げるような力が作用したとしても、その力は、孔３５ｈ、４５ｈの弧状縁で分散される。このため、第１横スリット３５及び第２横スリット４５の端部が裂け難くなる。
【００５９】
なお、孔３５ｈ、４５ｈは、第１横スリット３５及び第２横スリット４５の一方に形成されていてもよい。また、孔３５ｈ、４５ｈは、第１横スリット３５の一方の端部のみに形成されていてもよく、また、第２横スリット４５の一方の端部のみに形成されていてもよい。これらの場合であっても、孔３５ｈ、４５ｈが形成された部分では、第１横スリット３５及び第２横スリット４５の端部が裂け難くなる。
【００６０】
なお、補助横スリット４９の端部にも、孔３５ｈ、４５ｈと同様の孔４９ｈが形成されている。
【００６１】
図６に示す第２変形例に係る電線保護シート２３０では、第１端部３３のうち複数の第１縦スリット３４によって分断される各部分の先端部２３９がその先端側に向けて徐々に幅狭になる形状に形成されている。ここでは、第１端部３３の中間部にある先端部２３９は２等辺三角形状をなす形状に形成されており、第１端部３３の両側にある先端部２３９は、当該２等辺三角形状を半分にした形状に形成されている。
【００６２】
同様に、第２端部４３のうち複数の第２縦スリット４４によって分断される各部分の先端部２４９がその先端側に向けて徐々に幅狭になる形状に形成されている。ここでは、第２端部４３の中間部にある先端部２４９は、２等辺三角形状をなす形状に形成されており、第２端部４３の両側にある先端部２４９は当該２等辺三角形状を半分にした形状に形成されている。
【００６３】
この例によると、第１端部３３のうち複数の第１縦スリット３４によって分断される各部分の先端部２３９を、第２端部４３の第２縦スリット４４間又はいずれかの列の第２横スリット４５に通し易い。同様に、第２端部４３のうち複数の第２縦スリット４４によって分断される各部分の先端部２４９を、第１端部３３の第１縦スリット３４間又は第１横スリット３５に通し易い。このため、電線保護シート２３０の第１端部３３と第２端部とを容易に合体させることができる。
【００６４】
なお、この変形例では、第１縦スリット３４に対応する第１縦スリット２３４は、先端側に向けて徐々に広がる三角形スリット状に形成され、第２縦スリット４４に対応する第２縦スリット２４４の先端部は先端側に向けて徐々に広がる三角形スリット状に形成される。
【００６５】
図７に示す第３変形例に係る電線保護シート３３０では、第１端部３３のうち複数の第１縦スリット３４によって分断される各部分の先端部３３９がその先端側に向けて徐々に幅狭になる形状に形成されている。ここでは、第１端部３３の中間部の先端部３３９は、半楕円状をなす形状に形成され、第１端部３３の両側の先端部は当該半楕円状をさらに半分にした形状に形成される。
【００６６】
同様に、第２端部４３のうち複数の第２縦スリット４４によって分断される各部分の先端部３４９がその先端側に向けて徐々に幅狭になる形状に形成されている。ここでは、第２端部４３の中間部の先端部３４９は、半楕円状をなす形状に形成され、第２端部４３の両側の先端部は当該半楕円状を半分にした形状に形成されている。
【００６７】
この例によっても、上記第２変形例と同様に、電線保護シート３３０の第１端部３３と第２端部とを容易に合体させることができる。
【００６８】
なお、この変形例では、第１縦スリット３４に対応する第１縦スリット３３４は、先端側に向けて弧状に徐々に広がるスリット状に形成され、第２縦スリット４４に対応する第２縦スリット３４４の先端部は先端側に向けて徐々に弧状に広がるスリット状に形成される。
【００６９】
また、図８に示す第４変形例に係る電線保護シート４３０では、上記実施形態における第１縦スリット３４、第１横スリット３５、第２縦スリット４４及び第２横スリット４５のそれぞれに対応する第１縦スリット４３４、第１横スリット４３５、第２縦スリット４４４及び第２横スリット４４５が、幅を有するスリット状に形成されている。第１縦スリット４３４、第１横スリット４３５、第２縦スリット４４４及び第２横スリット４４５の幅は、例えば、電線保護シートの厚みと同程度とすることができる。
【００７０】
この例によると、第１端部３３のうち複数の第１縦スリット４３４によって分断される各部分を、第２端部４４３の第２縦スリット４４４間又はいずれかの列の第２横スリット４４５に通し易い。同様に、第２端部４４３のうち複数の第２縦スリット４４４によって分断される各部分を、第１端部４３３の第１縦スリット４３４間又は第１横スリット４３５に通し易い。このため、電線保護シート２３０の第１端部３３と第２端部とを容易に合体させることができる。
【００７１】
本変形例において、第１縦スリット４３４、第１横スリット４３５、第２縦スリット４４４及び第２横スリット４４５の全てが幅を有するスリット状に形成されている必要は無く、その一部が、上記実施形態と同様に、切れ目状の第１縦スリット３４、第１横スリット３５、第２縦スリット４４又は第２横スリット４５と同様に形成されていてもよい。
【００７２】
なお、補助横スリット４９に対応する補助横スリット４４９も、幅を有するスリット状に形成されている。
【００７３】
なお、上記実施形態及び各変形例で説明した各構成は、相互に矛盾しない限り適宜組合わせることができる。
【００７４】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７５】
１０  保護部材付電線
１２  電線
２０  保護部材
３０、１３０、２３０、３３０、４３０  電線保護シート
３３、４３３  第１端部
３４、２３４、３３４、４３４  第１縦スリット
３５、４５  第１横スリット
３５ｈ  孔
４３、４４３  第２端部
４４、２４４、３４４、４４４  第２縦スリット
４５、４４５  第２横スリット
４５ｈ  孔
【図１】
2016158456.tif 000003
【図２】
2016158456.tif 000004
【図３】
2016158456.tif 000005
【図４】
2016158456.tif 000006
【図５】
2016158456.tif 000007
【図６】
2016158456.tif 000008
【図７】
2016158456.tif 000009
【図８】
2016158456.tif 000010